(57)【特許請求の範囲】
【請求項１】
映像信号のカラーバースト信号、クロマ信号およびノイズ成分を除去するローパスフィルタと、
前記ローパスフィルタの出力の振幅の大きさと無入力閾値とを比較し、前記ローパスフィルタの出力が前記無入力閾値より小さい場合は活性化された無入力制御信号を出力し、小さくない場合は活性化されていない無入力制御信号を出力する無入力検出回路と、
前記ローパスフィルタの出力から同期信号部をスライスするスライス回路と、
前記スライス回路の出力と後述する水平発振回路の出力である再生された水平同期信号との位相誤差を検出する位相検出回路と、
前記位相検出回路の出力に比例係数を乗ずる比例回路部と、
前記無入力検出回路の出力である無入力制御信号が活性化されている場合は無入力設定値を出力し、無入力制御信号が活性化されていない場合は前記位相検出回路の出力を積分した値を出力する積分回路部と、
前記比例回路部の出力と前記積分回路部の出力とを加算する加算回路部と、
を備えたループフィルタと、
前記ループフィルタの加算部の出力に基いて直線的に変化する周波数を有する水平同期信号を再生し出力する水平発振回路と、
を有する水平同期分離回路。
【請求項２】
前記積分回路部が、
前記位相検出回路の出力に積分係数を乗算する乗算部と、
前記乗算部の出力と後述するフリップフロップの出力とを加算する加算部と、
前記無入力制御信号が活性化されている場合は前記無入力設定値を選択し、前記無入力制御信号が活性化されていない場合は前記加算部の出力を選択するセレクタ部と、
前記セレクタ部の出力を記憶保持するフリップフロップと、
を備えたことを特徴とする請求項１記載の水平同期分離回路。
【請求項３】
前記無入力検出回路が、
前記ローパスフィルタの出力の最大値を検出する最大値検出部と、
前記ローパスフィルタの出力の最小値を検出する最小値検出部と、
前記最大値検出部の出力から前記最小値検出部の出力を引算する引算部と、
前記引算部の出力を積分する積分部と、
前記積分部の出力と前記無入力閾値とを比較し、前記積分部の出力が前記無入力閾値より小さい場合は活性化された無入力制御信号を出力し、小さくない場合は活性化されていない無入力制御信号を出力する比較部と、
を備えたことを特徴とする請求項１記載の水平同期分離回路。
【請求項４】
活性化された前記無入力制御信号が前記ループフィルタに供給されている場合に前記水平発振回路が再生する水平同期信号の周波数が前記映像信号の標準的な水平周波数の近傍となることを特徴とする請求項１記載の水平同期分離回路。
【発明の詳細な説明】
【０００１】
【発明の属する技術分野】
本発明は、カラーテレビジョン受信機における映像信号の水平同期分離回路に関するものである。
【０００２】
【従来の技術】
テレビジョン信号処理において、映像信号に重畳された水平同期信号を再生するために水平同期分離回路を使用している。
【０００３】
図１に従来の水平同期分離回路の回路構成を記す。
図１において、１０は映像信号を入力とし、カラーバースト信号、クロマ信号およびノイズ成分を除去するローパスフィルタである。１１はローパスフィルタ１０の出力を入力とし、同期信号部をスライスするスライス回路である。１２はスライス回路１１の出力と再生された水平同期信号を入力とし、スライス回路１１の出力と再生された水平同期信号との位相誤差を検出する位相検出回路である。
【０００４】
１３は位相検出回路１２の出力を入力とし、位相検出回路１２の出力に含まれるノイズなどの誤差成分を除去するループフィルタである。１４はループフィルタ１３の出力を入力とし、ループフィルタ１３の出力を制御信号として発振周波数が直線的に変化させて水平同期信号を再生し出力する水平発振回路である。前記した位相検出回路１２に入力する再生された水平同期信号は、この水平発振回路１４から出力される。
【０００５】
図２にループフィルタ１３の回路構成を示す。ループフィルタ１３は比例回路１００、積分回路１０１、加算回路１０２から構成される。
【０００６】
図２において、ループフィルタの入力、即ち位相検出回路１２の出力は、比例回路１００と積分回路１０１に入力される。
【０００７】
比例回路１００はループフィルタの入力、即ち位相検出回路１２の出力と比例係数を入力とし、位相検出回路１２の出力と比例係数との乗算を行う。
【０００８】
積分回路１０１はループフィルタの入力、即ち位相検出回路１２の位相検出回路１２の出力と積分係数を入力とし、まず位相検出回路１２の位相検出回路１２の出力と積分係数との乗算を行い、この乗算出力をさらに積分する。
【０００９】
加算回路１０２は比例回路１００の出力と積分回路１０１の出力を入力とし、比例回路１００の出力と積分回路１０１の出力を加算する。
【００１０】
このループフィルタ１３では、比例回路１００で入力の映像信号の速い時間軸変動、いわゆる位相変動に対しての水平同期回路の応答性を決定し、積分回路１０１で入力の映像信号の比較的遅い時間軸変動、いわゆる周波数変動に対しての水平同期回路の応答性を決定し、位相変動に関わるものと周波数変動に関わるものを加算回路１０２で加算して出力する。
【００１１】
水平発振回路１４はループフィルタ１３の出力を入力とし、ループフィルタ１３の出力により発振周波数が直線的に変化させる発振回路で、再生された水平同期信号を出力する。
【００１２】
この水平同期分離回路では、位相検出回路１２に入力されるスライス回路１１の出力と再生された水平同期信号との位相誤差を検出し、ループフィルター１３でこの位相誤差を蓄積し、位相検出回路１２の出力をゼロに収束するように水平発振回路１４の発振周波数を逐次調整することで、入力された映像信号に同期した水平同期信号の再生を行っている。
【００１３】
この方法によれば、入力される映像信号が無くなった場合、即ち無入力状態になった場合、ループフィルタ１３の積分回路１０１の保持しているレベルがノイズやリークなどの影響により標準的な水平周波数からずれていき、再度映像信号が入力されてきた場合、積分回路１０１がこの水平周波数のずれを取り戻すためにかかる時間が長くなり水平同期の応答には時間が必要であった。
【００１４】
【発明が解決しようとする課題】
本発明の課題は、無入力状態から再度映像信号が入力されてきた場合でも、高速に応答する水平同期分離回路の実現である。
【００１５】
【課題を解決するための手段】
上記課題を解決するために、本発明の水平同期分離回路は、映像信号のカラーバースト信号、クロマ信号およびノイズ成分を除去するローパスフィルタと、無入力状態を検出する無入力検出回路と、同期信号部をスライスするスライス回路と、スライス回路の出力と再生された水平同期信号との位相誤差を検出する位相検出回路と、無入力制御信号によって、所定の内部状態にする機能を備えたループフィルタと、ループフィルタの出力によって発振周波数を直線的に変化させて水平同期信号を再生し出力する水平発振回路を備えた水平同期分離回路である。所定の内部状態とは好ましくは、水平発振回路が標準的な水平周波数になるようなループフィルタの出力を得る状態である。また標準的な水平周波数とは、たとえばＮＴＳＣ方式の場合１５．７ｋＨｚ近傍の周波数である。
即ち、ローパスフィルタで映像信号からカラーバースト信号、クロマ信号およびノイズ成分を除いたのち、無入力状態を検出する無入力検出回路を備え、その無入力検出回路の出力を用いてローパスフィルタを制御する方式である。
【００１６】
本発明により、無入力状態から再度映像信号が入力されてきた場合でも、高速に応答する水平同期分離回路を提供できる。
【００１７】
【発明の実施の形態】
（実施の形態１）
以下、本発明の第１の実施形態について、図３、図４、図５、図６、図７を用いて説明する。
【００１８】
本発明の第１の実施形態における水平同期分離回路は、ローパスフィルタ３０と、スライス回路３１と、位相検出回路３２と、ループフィルタ３３と、水平発振回路３４、無入力検出回路３５で構成される。
【００１９】
図３において、映像信号はローパスフィルタ３０に入力される。無入力閾値は無入力検出回路３５に入力される。
【００２０】
ローパスフィルタ３０は映像信号のカラーバースト信号、クロマ信号およびノイズ成分を除去する。スライス回路３１はローパスフィルタ３０の出力を入力とし、同期信号部をスライスする。位相検出回路３２はスライス回路３１の出力と再生された水平同期信号を入力とし、スライス回路３１の出力と再生された水平同期信号との位相誤差を検出する。ループフィルタ３３は無入力制御信号と位相検出回路３２の出力を入力とし、位相検出回路３２の出力に含まれるノイズなどの誤差成分を除去し、無入力制御信号によって、所定の内部状態にする機能を備え、図４にその回路構成を示す。ループフィルタ３３は比較回路３００、積分回路３０１、加算回路３０２から構成される。
【００２１】
図４において、ループフィルタ３３の入力、即ち位相検出回路３２の出力は、比例回路３００と積分回路３０１に入力される。
【００２２】
比例回路３００は位相検出回路３２の出力と比例係数を入力とし、位相検出回路１２の出力と比例係数との乗算を行う。
【００２３】
積分回路３０１は位相検出回路３２の出力と積分係数と無入力制御信号と無入力設定値とを入力とし、まず位相検出回路３２の出力と積分係数との乗算を行い、この乗算出力をさらに積分する。無入力制御信号が印可されると、回路の積分は中止され無入力設定値が積分回路３０１の出力となる。図６に積分回路３０１の回路構成を示す。
【００２４】
加算回路３０２は比例回路３００の出力と積分回路３０１の出力を入力とし、比例回路３００の出力と積分回路３０１の出力を加算する。
【００２５】
水平発振回路３４はループフィルタ３３の出力を入力とし、ループフィルタ３３の出力により発振周波数が直線的に変化させる発振回路で、再生された水平同期信号を出力する。
【００２６】
無入力検出回路３５は、ローパスフィルタ３０の出力と無入力閾値とを入力とし、ローパスフィルタ３０の出力と無入力閾値とを比較することで信号の有り無しを検出する回路で、図５にその回路構成を示す。
【００２７】
無入力検出回路３５は、最大値検出回路５００、最小値検出回路５０１、引算回路５０２、積分回路５０３、比較回路５０４で構成される。図５において、ローパスフィルタ３０の出力は最大値検出回路５００と最小値検出回路５０１に入力される。無入力閾値は比較回路５０４に入力される。最大値検出回路５００から最小値検出回路５０１の出力を引算回路５０２で引算した後積分回路５０３でその結果を平滑化し、この積分回路５０３の出力を無入力閾値と比較することで、信号の有り無しを検出する。そしてこの検出結果を無入力検出信号とする。
【００２８】
映像信号が入力されている場合は、無入力検出回路３５に出力信号である無入力検出信号は活性化されず、ループフィルタ３３の積分回路５０３は通常の積分動作を行い、無入力状態となると無入力検出回路３５に出力信号である無入力検出信号が活性化され、ループフィルタ３３の積分回路５０３の内部状態は無入力設定値を初期値としてセットされる。
【００２９】
無入力設定値は後段の水平発振回路が標準的な水平周波数になるように選ぶ。本実施形態の水平同期分離回路によれば、無入力状態から再度映像信号が入力されてきた場合でも、高速に応答させることができる。
【００３０】
【発明の効果】
以上のように、本発明によれば、無入力状態から再度映像信号が入力されてきた場合でも、高速に応答する水平同期分離回路を提供することが可能となる。
【図面の簡単な説明】
【図１】従来の発明における水平同期分離回路の構成を示すブロック図
【図２】従来の発明におけるループフィルタの構成を示すブロック図
【図３】本発明の実施の形態１における水平同期分離回路の構成を示すブロック図
【図４】本発明の実施の形態１におけるループフィルタの構成を示すブロック図
【図５】本発明の実施の形態１における無入力検出回路の構成を示すブロック図
【図６】本発明の実施の形態１における積分回路の構成を示すブロック図
【符号の説明】
１０、３０  ローパスフィルタ回路
１１、３１  スライス回路
１２、３２  位相検出回路
１３、３３  ループフィルタ
１４、３４  水平発振回路
３５  無入力検出回路
１００、３００  比例回路
３０１、３０１、５０３  積分回路
３０２、３０２、４０１  加算回路
４００  乗算回路
４０２  セレクタ回路
４０３  フリップフロップ
５００  最大値検出回路
５０１  最小値検出回路
５０２  引算回路
５０４  比較回路
【図１】
0004461522.tif 000002
【図２】
0004461522.tif 000003
【図３】
0004461522.tif 000004
【図４】
0004461522.tif 000005
【図５】
0004461522.tif 000006
【図６】
0004461522.tif 000007